(57)【要約】【課題】カセット内に封入される模造薬物の悪用、改ざん等を防止でき、学校等における使用禁止薬物の使用防止の啓蒙、教育に用いて最適な模造薬物見本セットを提供する。【解決手段】内部が透視可能に構成され模造薬物が開封不可に完全密閉封入されたカセットと、該カセットを複数個着脱自在に保持する台板とを有することを特徴とする模造薬物見本セット。【選択図】図１
2006043246.tif 000002
【特許請求の範囲】
【請求項１】
内部が透視可能に構成され模造薬物が開封不可に完全密閉封入されたカセットと、該カセットを複数個着脱自在に保持する台板とを有することを特徴とする模造薬物見本セット。
【請求項２】
前記カセットが扁平容器状に形成されている、請求項１の模造薬物見本セット。
【請求項３】
前記カセットの前面および背面が透明板から構成されている、請求項２の模造薬物見本セット。
【請求項４】
前記カセットが、少なくとも２部材を接着して開封不可の完全密閉構造に構成されている、請求項１ないし３のいずれかに記載の模造薬物見本セット。
【請求項５】
前記台板の裏面に、前記複数個のカセットに封入された模造薬物に対する説明書きが付されている、請求項１ないし４のいずれかに記載の模造薬物見本セット。
【請求項６】
前記台板に、前記カセットの少なくとも一部が着脱自在に嵌合される穴または凹みが設けられている、請求項１ないし５のいずれかに記載の模造薬物見本セット。
【請求項７】
前記カセットに、前記模造薬物とともにサンプル表示片が封入されている、請求項１ないし６のいずれかに記載の模造薬物見本セット。
【請求項８】
前記台板が、板状部材と該板状部材上に設けられた前記カセットの保持部を有するシート状材との貼合せ体からなる、請求項１ないし７のいずれかに記載の模造薬物見本セット。
【請求項９】
前記台板が、複数枚ファイル状に連結可能に構成されている、請求項１ないし８のいずれかに記載の模造薬物見本セット。
【発明の詳細な説明】
【技術分野】
【０００１】
本発明は、たとえば大麻、麻薬等の使用禁止薬物の模造薬物が封入され内部が透視可能なカセットを有する模造薬物見本セットに関し、とくに薬物乱用防止の啓蒙、教育に好適な模造薬物見本セットに関する。
【背景技術】
【０００２】
近年、大麻、覚せい剤等の使用禁止薬物の乱用の広がりが深刻な社会問題となっている。このような、薬物汚染は、とくに使用禁止薬物に関し正確な知識を持たない青少年の間に広がりを見せている。このため、学校等における使用禁止薬物の使用防止の啓蒙、教育が重要である。このような、啓蒙、教育の際には、実際にどのような薬物が使用禁止薬物であるのかを了知させる必要があり、口述の説明に加え写真、挿絵等を使用した説明が有効であるが、本物に近い形状色彩の模造薬物を実際に提示しながら説明する方がより効果的である。
【０００３】
しかし、大麻、覚せい剤等の使用禁止薬物の模造薬物が封入された見本セットに関する提案は見当たらない。一方、医薬品等を台紙に着脱自在に収納可能な見本帳については、いくつかの提案がなされているが（たとえば、特許文献１、２）、これらはいずれもカセット内に封入された薬物等の取出が可能に構成されている。このため、上記のような医薬品の見本帳を、使用禁止薬物の模造薬物が封入される見本セットに転用すると、第三者による改ざんの可能性も否定できない。また、本物の使用禁止薬物と見紛う模造薬物が封入されたカセットが本来の目的以外の好ましくない目的に悪用されるおそれがある。
【０００４】
したがって、大麻、覚せい剤等の使用禁止薬物の模造薬物が封入された見本セットにおいては、カセットに封入されるのは模造薬物であることを明示すること、また、カセットが一旦開封された場合には開封の痕跡が明確に残るものである必要がある。
【特許文献１】実開昭５８−２６０７０号公報
【特許文献２】実開昭６１−８１６８１号公報
【発明の開示】
【発明が解決しようとする課題】
【０００５】
そこで本発明の課題は、カセット内に封入される模造薬物の悪用、改ざん等を防止でき、学校等における使用禁止薬物の使用防止の啓蒙、教育に用いて最適な模造薬物見本セットに関する。
【課題を解決するための手段】
【０００６】
上記課題を解決するために、本発明に係る模造薬物見本セットは、内部が透視可能に構成され内部が透視可能に構成され模造薬物が開封不可に完全密閉封入されたカセットと、該カセットを複数個着脱自在に保持する台板とを有することを特徴とすると、該カセットを複数個着脱自在に保持する台板とを有することを特徴とするものからなる。このような構成においては、模造薬物は開封不可に完全密閉されたカセットに封入されているので、模造薬物の紛失、改ざんのおそれが解消される。また、カセットは開封不可に完全密閉されているので、一旦、開封された場合にはその痕跡が残る。したがって、改ざん等がなされた場合には容易にこれを発見できる。なお、模造薬物は開封不可に完全密閉されたカセットに封入されているので、模造薬物が吸湿性のある材料等である場合であっても、経時変化に伴う模造薬物の変色等を抑制できる。また、カセットは、台板に着脱自在に構成されているので、カセットを手に取って封入される模造薬物を観察することも可能である。また、カセットの交換も容易に行うことができる。
【０００７】
上記カセットは円形、楕円容器状に形成するよりも、扁平容器状に形成されることが好ましい。カセットを扁平容器状に形成すれば視野が広がり、内部の模造薬物をより観察し易くすることができる。また、上記カセットを内部が透視可能に構成するためには、たとえばカセットの前面を透明に構成すればよい。さらに、カセットの前面のみならず背面も併せて透明に構成すれば模造薬物の色彩等に応じて台板の色彩を変更し背景色を変更できるので、多種多様な色彩の模造薬物の色彩を正確に認知できる。
【０００８】
また、上記カセットは開封不可の完全密閉構造に構成できるものであればとくに限定されるものではないが、たとえば少なくとも２部材（たとえば、本体と蓋）を接着すれば容易に開封不可の完全密封構造のカセットを構成できる。接着方法はとくに限定されるものではなく、接着剤による接着のみならず、熱溶融、超音波により両部材を溶融させて接着する方法等を用いることができる。また、カセットには、模造薬物とともに、該模造薬物の名称を表示したサンプル表示片を封入することが好ましい。このような、サンプル表示片を封入すればカセットを手に取って観察等する際に便利である。また、カセットに封入される薬物が模造薬物であることを了知させることができる。
【０００９】
上記台板の裏面には、複数個のカセットに封入された模造薬物に対する説明書きが付されていることが好ましい。このような説明書きを付すれば、使用者等に薬物に関する正確な知識を伝達できる。また、使用禁止薬物の乱用防止に関する啓蒙、教育の際の説明者の便宜を向上できる。なお、本願において、説明書きを付するとは、説明書を台板の裏面に貼付する場合、および台板の裏面に直接説明を記載する場合の両方を含むものである。
【００１０】
上記台板には、少なくともカセットの一部が着脱自在に嵌合される穴または凹みが設けられることが好ましい。台板に上記のような穴または凹みを設ければ、台板にカセットを簡単に着脱自在に保持することができる。
【００１１】
また、上記台板はとくに限定されるものではないが、たとえば板状部材と該板状部材上に設けられた上記カセットの保持部を有するシート状材との貼合せ体から構成できる。また、上記台板は、複数枚ファイル状に連結可能に構成されることが好ましい。たとえば、台板にファイル用の穴等を設ければ、簡単に台板を複数枚ファイル状に連結可能に構成することができる。このように、台板を複数枚ファイル状に連結可能に構成すれば、必要に応じて適宜台板の差し替え、増減を行うことができる。
【００１２】
上記模造薬物はとくに限定されるものではないが、たとえば大麻草、大麻樹脂、覚せい剤、紙状ＬＳＤ、ＭＤＭＡ、コカイン、アヘン、ヘロイン等の使用禁止薬物の模造薬物を挙げることができる。このような、使用禁止薬物の模造薬物をカセットに封入し本発明に係る模造薬物見本セットを構成すれば、使用禁止薬物の使用防止の啓蒙、教育に多大な貢献をすることができる。
【発明の効果】
【００１３】
上記のような本発明に係る模造薬物見本セットによれば、模造薬物は開封不可に完全密閉されたカセットに封入されているので、カセット内に封入される模造薬物の悪用、改ざん等を防止しつつ、学校等における使用禁止薬物の使用防止の啓蒙、教育に用いて最適な模造薬物見本セットを提供できる。
【発明を実施するための最良の形態】
【００１４】
以下に、本発明の模造薬物見本セットの望ましい実施の形態を、図面を参照して説明する。
図１ないし図４は、本発明の一実施態様に係る模造薬物見本セットを示している。図において、１は模造薬物見本セットを示している。模造薬物見本セット１は、内部が透視可能に構成され模造薬物２が開封不可に完全密閉封入される複数のカセット３と、該カセット３を着脱自在に保持する台板４とを有している。
【００１５】
本実施態様において、模造薬物２は大麻草、覚せい剤等の使用禁止薬物の模造薬物である。
【００１６】
カセット３は、図２、図３に示すように扁平容器状に形成されている。本実施態様においては、カセット３は、蓋５と本体６の２部材を接着して開閉不可となった完全密閉構造に構成されている。なお、接着方法はとくに限定されるものではなく、接着剤による接着のみならず、熱溶融、超音波により両部材を溶融させて接着する方法等を挙げることができる。蓋５と本体６はともに透明な部材（たとえば、樹脂）から構成されており、カセット３の前面７と背面８は透明板から構成されるようになっている。このように、カセット３は内部が透視可能に構成されている。
【００１７】
また、カセット３の前面７側には、封入される模造薬物２の名称を付した銘板９が設けられている。また、カセット３には、封入薬物が模造薬物２である旨を表示するサンプル表示片１０が封入されている。
【００１８】
台板４は、図４に示すように板状部材１１と、該板上部材１１上に設けられカセット３の一部が着脱自在に嵌合される保持部１３が複数設けられたシート状材１２との貼合せ体から構成されている。本実施態様においては、保持部１３は孔から構成されているが、凹みから構成することも可能である。保持部１３の長手方向（図４の左右方向）の寸法はカセット３の長手方向の（図１の上下方向、図４の左右方向）の寸法よりも短くなっている。また、保持部１３の幅方向の寸法は、カセット３の幅方向の寸法と略同一に構成されている。したがって、カセット３の一端１４を保持部１３に嵌合させれば台板４にカセット３を保持させることができる。また、カセット３の一端１４が保持部１３に嵌合された際には、カセット３の他端１５は台板４の面から上方に突出するようになっているので、他端１５側を使用者等が把持すればカセット３の着脱を容易に行うことができる。
【００１９】
また、台板４には、ファイル用の穴１６が穿設されている。該穴１６にたとえばリング（図示略）を挿通すれば、台板４を複数枚ファイル状に連結できる。さらに、台板４の裏面には、複数このカセット３内に封入された模造薬物に関する説明書（図示略）が貼り付けられている。このような説明書きを付すれば、使用者等に薬物に関する正確な知識を伝達できる。また、使用禁止薬物の乱用防止に関する啓蒙、教育の際の説明者の便宜を向上できる。なお、本実施態様においては、台板４に説明書が貼り付けられているが、台板４の裏面に直接説明を記載するようにしてもよい。
【００２０】
本実施態様においては、模造薬物２は開封不可に完全密閉されたカセット３に封入されているので、一旦、開封された場合にはその痕跡が残る。とくに、本実施態様においては、カセットと３を形成する蓋５と、本体６がともに透明な樹脂から構成されるのでカセット３の外部からでも接着部の状態を容易に透視できる。したがって、改ざん等がなされた場合には容易にこれを発見できる。また、カセット３は、台板４に着脱自在に保持されているので、カセット３を手に取って封入される模造薬物２を観察することも可能である。また、カセット３の交換も容易に行うことができる。なお、本実施態様においては、模造薬物２は開封不可に完全密閉されたカセット３に封入されているので、模造薬物２が吸湿性のある材料、酸化され易い材料等である場合であっても、経時変化に伴う模造薬物２の変色等を抑制できる。
【００２１】
カセット３は、扁平容器状に形成されているので、カセット３が円形や楕円形容器状に形成される場合に比べ、前面７側からの視野が広がるため内部の模造薬物２をより観察し易くすることができる。また、カセット３の前面７のみならず背面８も併せて透明に構成されているので、模造薬物２の色彩等に応じて台板４の色彩を変更し背景色を変更できる。したがって、多種多様な色彩の模造薬物の色彩を正確に認知できる。
【００２２】
また、カセット３には、模造薬物２とともに、該模造薬物の名称を表示したサンプル表示片１０が封入されているので、カセット３を手に取って観察等する際に便利である。また、カセット３に封入される薬物が模造薬物５であることを認知させることができ、悪用等のおそれが確実に解消される。
【産業上の利用可能性】
【００２３】
本発明に係る模造薬物見本セットは、広範な産業分野における各種薬物の見本セットとして利用できるが、たとえば大麻草、大麻樹脂、覚せい剤、紙状ＬＳＤ、ＭＤＭＡ、コカイン、アヘン、ヘロイン等の使用禁止薬物の模造薬物をカセットに封入し、本発明に係る模造薬物見本セットを構成すれば、使用禁止薬物の使用防止の啓蒙、教育に好適な模造薬物セットを構成できる。
【図面の簡単な説明】
【００２４】
【図１】本発明の一実施態様に係る模造薬物見本セットの正面図である。
【図２】図１の模造薬物見本セットのカセットの斜視図である。
【図３】図２のカセットのＩＩ−ＩＩ線に沿う断面図である。
【図４】図２のカセットの台板への嵌合状態を示す拡大断面図である。
【符号の説明】
【００２５】
１  模造薬物見本セット
２  模造薬物
３  カセット
４  台板
５  蓋
６  本体
７  前面
８  背面
９  銘板
１０  サンプル表示片
１１  板状部材
１２  シート状材
１３  保持部
１４  カセットの一端
１５  カセットの他端
１６  ファイル用の穴
１７  台板の裏面
【図１】
2006043246.tif 000003
【図２】
2006043246.tif 000004
【図３】
2006043246.tif 000005
【図４】
2006043246.tif 000006